(57)【特許請求の範囲】
【請求項１】
・複数の送信局が交換局（１）に受信局へ転送されるべきデータを供給し、
・交換局（１）がそれに供給されるべきデータをそれぞれ所望の受信局に伝送す  る
ように構成されたシステムの交換局（１）の過負荷を回避するための通信装置において、
照会装置（１１）が備えられ、該照会装置（１１）は、
・送信局を周期的にまたは任意の他の順序で照会し、必要に応じて交換局（１）  を通じて交換されるべきデータを交換局に送出させ、
・複数またはすべての送信局のうちの一つから時間単位当たり送出されるデータ  量が所定の限界を越えたとき、ひとつまたは複数の送信局を照会の際考慮しな  い
ことを特徴とする送信および／または受信局と交換局との間の通信装置。
【請求項２】
通信が送信局（２‐１、２‐２、…、２‐ｎ）から交換局（１）への非同期データパケットの送出により行われることを特徴とする請求項１記載の装置。
【請求項３】
交換局（１）がＡＴＭ交換方式を実行するように構成されていることを特徴とする請求項１または２記載の装置。
【請求項４】
交換局（１）に受け入れるためのデータパケットが得られたかまた場合によってはどこで得られたかを検出するため、接続解除すべきでない送信局（２‐１、２‐２、…、２‐ｎ）のもとで連続的に照会を実行するように構成されている照会装置（１１）が設けられていることを特徴とする請求項１ないし３の１つに記載の装置。
【請求項５】
・複数の送信局が交換局（１）に受信局へ転送されるべきデータを供給し、
・交換局（１）がそれに供給されるべきデータをそれぞれ所望の受信局に伝送する
ように構成されたシステムの交換局（１）の過負荷を回避するための通信方法において、
・送信局を周期的にまたは任意の他の順序で照会し、必要に応じて交換局（１）  を通じて交換されるべきデータを交換局に送出させ、
・複数またはすべての送信局のうちの一つから時間単位当たり送出されるデータ  量が所定の限界を越えたとき、ひとつまたは複数の送信局を照会の際考慮しな  い
ことを特徴とする送信および／または受信局と交換局との間の通信方法。
【請求項６】
通信が送信局（２‐１、２‐２、…、２‐ｎ）から交換局（１）への非同期データパケットの送出により行われることを特徴とする請求項５記載の方法。
【請求項７】
交換局（１）においてＡＴＭ交換方式が実行されることを特徴とする請求項５または６記載の方法。
【請求項８】
各送信局（２‐１、２‐２、…、２‐ｎ）から単位時間あたりに交換局に受け入れられるデータ量および／または受け入れるべきデータ量が別々に検出されることを特徴とする請求項５ないし７の１つに記載の方法。
【請求項９】
検出されたデータ量をそれぞれ当該の送信局（２‐１、２‐２、…、２‐ｎ）に対して決定された限界値と比較することを特徴とする請求項８記載の方法。
【請求項１０】
すべての送信局（２‐１、２‐２、…、２‐ｎ）に対して検出されたデータ量の和を交換局（１）に対して決定された全限界値と比較することを特徴とする請求項８または９記載の方法。
【請求項１１】
交換局（１）により単位時間あたりにすべての送信局（２‐１、２‐２、…、２‐ｎ）から全体として受け入れられた全データ量および／または受け入れるべき全データ量が検出されることを特徴とする請求項５ないし１０の１つに記載の方法。
【請求項１２】
検出された全データ量が交換局（１）に対して決定された全限界値と比較されることを特徴とする請求項１１記載の方法。
【請求項１３】
比較の際にそのつどの限界値の超過が検出されるならば、データの受け入れの中断が指令されることを特徴とする請求項９、１０および１２の１つに記載の方法。
【請求項１４】
交換局（１）に受け入れるためのデータパケットが得られたかまた場合によってはどこで得られたかを検出するため、接続解除すべきでない送信局（２‐１、２‐２、…、２‐ｎ）のもとで連続的に照会が実行されることを特徴とする請求項５ないし１３の１つに記載の方法。
【発明の詳細な説明】
【０００１】
【発明の属する技術分野】
本発明は、請求項１および請求項１１の前文による送信および／または受信局と交換局との間の通信装置および方法に関する。
【０００２】
【従来の技術】
このような通信装置および方法は公知であり、また以下にＡＴＭ交換方式を例として簡単に説明する。
【０００３】
ＣＣＩＴＴ（国際電信電話諮問委員会）は交換方式ＡＴＭ（非同期転送モード）を既に１９９０年５月にＢ‐ＩＳＤＮのいわゆるデータパケット交換の標準として公告した。ＡＴＭはその際に「情報がセルに束ねられている交換方式であり、本方式は、セルが必ずしも周期的に送信器と受信器との間で交換されないという意味で非同期である。」というように定義された。
【０００４】
ＡＴＭを実施するための可能な実現形態は図２に概要を示されている。
【０００５】
図２によれば、いわゆるＡＴＭ層回路の形態の１つの交換局１およびいわゆるＰＨＹ層回路の形態の多数の送信局２‐１、２‐２、…、２‐ｎが設けられている。
【０００６】
多数の送信局２‐１、２‐２、…、２‐ｎは１つの交換局１と接続されており、また図面には示されていない受信局への転送または交換のために予定されている同一の非同期データパケット（セル）を伝送する。
【０００７】
交換局は、超過することのできない最大データ処理量を有する。従って、送信局は基本的に、単位時間あたりに交換局へ伝送されるデータ量が交換局の最大データ処理量を超過しないように構成されていなければならず、またはそのように交換局に接続する送信局の数が制限されなければならない。
【０００８】
しかし多くの送信局では、たとえば送信局がターミナルまたはそれと類似のものであれば、または送信局がこのような装置と接続されているならば、単位時間あたりに交換局へ伝送すべきデータ量が著しく変動し得る。
【０００９】
このような場合に設備の構成および／または設定を、極端な場合にそのつどの送信局から交換局に伝送され得る最大可能なデータ量に基づいて行うならば、交換局は一般に非常に稀にしかその能力を完全に利用できない。それどころかたいていの場合にその能力限界のはるかに下で使用される。従ってこのような設備の調達および使用は比較的高価である。
【００１０】
他方において設備の構成および／または設定を経済性の向上のために、そのつどの送信局から交換局に最大伝送可能なデータ量ではなくそれよりも小さいデータ量、たとえば平均的に伝送すべきデータ量に基づいて行うならば、交換局が単位時間あたりに転送し得るデータ量よりも多くのデータ量を供給されることが起こり得る。このことは、交換局に供給されるデータが失われるという結果を招くであろう。従って、このように構成された設備の使用は場合によっては少なからぬ安全上の危険を伴なうことになろう。
【００１１】
従って上述の方式はいずれも満足できるものではない。
【００１２】
【発明が解決しようとする課題】
本発明の課題は、請求項１の前文による装置および請求項５の前文による方法を、交換局において常に高い実際のデータ処理量が達成可能であり、その際に交換局の過負荷の結果としての安全上の危険が回避できるように改良することにある。
【００１３】
【課題を解決するための手段】
この課題は、本発明によれば、請求項１および請求項５の特徴部分にあげられている特徴により解決される。
【００１４】
それによれば、単位時間あたりに交換局に受け入れられるデータ量および／または受け入れるべきデータ量を検出し得る検出装置と、１つまたは複数の送信局から交換局へのデータの受け入れを検出結果に関係して選択的に中断し得る中断装置とが設けられており（請求項１）、または単位時間あたりに交換局に受け入れられるデータ量および／または受け入れるべきデータ量が検出され、１つまたは複数の送信局から交換局へのデータの受け入れが検出結果に関係して選択的に中断される（請求項１１）。
【００１５】
これらの措置を講ずることにより交換局の差し迫った過負荷を早期に認識し、またそれに基づいて選ばれた送信局から交換局へのデータの受け入れを意図的に中断することができる。
【００１６】
データの受け入れの意図的な中断は、中断を最小数の送信局に、または中断による不利な影響が最も小さい送信局に限ることを可能にする。
【００１７】
それによって、従来の交換方法と異なり、交換局の過負荷または差し迫った過負荷（以下では説明を簡単にするため臨界的状態と呼ぶ）によりそれぞれ全部の送信局が被害を受けるのではなく（これまではこのような状況で生ずる交換局の入力バッファのオーバーフローが通常全部の送信局のデータに影響した）、個々のまたはいくつかの少数の送信局のみが被害を受けるにすぎない。なぜならば、交換局の入力バッファのオーバーフローは交換局へのデータ供給の適時の選択的な中断の際にはもはや生じないからである。中断により被害を受ける送信局を知ることにより、臨界的状態の間に場合によって生ずるデータ喪失がデータの爾後処理の際に適切に考慮に入れられ、および／または状態の正常化の際に迅速かつ簡単に新たな伝送の試みの際に消去することができる。
【００１８】
単位時間あたりに交換局に受け入れられるデータ量の連続的な検出は、前記の中断をデータの流れの相応に強い減退に応答して直ちに終了させること、また無視された送信局を再び正常に考慮に入れることを可能にする。
【００１９】
交換局の過負荷に対してこのような安全メカニズムを設けることにより装置の構成および／または設定は単位時間あたりそれぞれ最大伝送可能なデータ量に合わせられるのではなく、平均的な状況から出発することができる。これによって交換局の能力のはるかに良好な利用が達成され得る。
【００２０】
これによって、交換局において持続的な実際のデータ処理量が達成可能であり、その際に交換局の過負荷に起因する安全上の危険を回避できる装置および方法が得られる。
【００２１】
本発明の有利な実施態様は従属請求項に記載されている。
【００２２】
【実施例】
以下、図面を参照して１つの実施例により本発明を一層詳細に説明する。
【００２３】
図２による前記の従来のシステムのように図１に示されているシステムもＡＴＭ交換方式を実施するための装置に関する。
【００２４】
図２と同じく図１に示されているシステムにはＰＨＹ層回路の形態の多数の（図面には示されていない）送信局が設けられている。これらの送信局の各々は別々のデータ伝送線を経てＡＴＭ層回路の形態の交換局１と接続されている。図１には多数の前記のデータ伝送線を代表して個別のデータ伝送線ＤＩが示されている。
【００２５】
交換局１は照会装置１１、検出装置１２およびマルチプレクサ１３を含んでいる。
【００２６】
照会装置１１は多数のデータ伝送線ＤＩを経て送信局と、またさらに検出装置１２と接続されている。
【００２７】
照会装置１１の課題は、これとデータ伝送線ＤＩを経て接続されている送信局をサイクリックにまたは任意の他の順序で照会し、またそれらをして必要の際に交換局１を通じて交換すべきデータパケット（セル）を交換局へ送らせることである。送信局の１つから交換局へのデータパケットの伝送および／または交換局、一層詳細には照会装置１１へのその受け入れの間、照会装置１１は、その後に送信局から伝送すべきデータパケットおよび／または交換局に受け入れるべきデータパケットを検出するため、送信局またはデータ伝送線ＤＩの走査を続行する。
【００２８】
送信局から送り出されたデータパケットおよび照会装置１１により受け入れられたデータパケットは照会装置から検出装置１２へ転送される。
【００２９】
検出装置１２は送信局の数に相応する多数の副検出装置１２‐１、１２‐２、…、１２‐ｎから成っている。
【００３０】
各々の副検出装置１２‐１、１２‐２、…、１２‐ｎは（必要の際には副送信局の１つの群から成っていてよい）特定の送信局に対応付けられている。
【００３１】
各々の副検出装置１２‐１、１２‐２、…、１２‐ｎの課題は、交換局１がそのつどの副検出装置に対応付けられている送信局から単位時間あたりに受け入れたデータ量および／または受け入れるべきデータ量を検出することである。
【００３２】
検出装置または副検出装置１２‐１、１２‐２、…、１２‐ｎの別の課題は、照会装置１１をして必要の際に選択的に送信局の１つまたはそれ以上を照会の際に不接続とさせ、それによって当該の送信局から交換局へのデータ伝送が中断され，またそれによって検出装置が照会装置と共同作用して（データ受け入れ）中断装置として作用するようにすることである。照会装置に前記の影響力を行使するためのトリガ事象および影響力行使の形式の可能な変形例は後で一層詳細に説明する。
【００３３】
副検出装置１２‐１、１２‐２、…、１２‐ｎの各々は前記の目的でデータ伝送線ＤＷ１および制御線ＯＶ１、ＯＶ２、…、ＯＶｎを介して照会装置１１と接続されている。その際にデータ伝送線ＤＷ１も制御線ＯＶ１、ＯＶ２、…、ＯＶｎも個別の導線として、またはバス線として構成することができる。
【００３４】
データ伝送線ＤＷ１を介して副検出装置１２‐１、１２‐２、…、１２‐ｎは照会装置１１から受け入れられたデータパケットを、そのつどの副検出装置にそれぞれ対応付けられている送信局から発せられたデータパケットのみが供給されるようにする。
【００３５】
制御線ＯＶ１、ＯＶ２、…、ＯＶｎを介して照会装置１１はそのつどの副検出装置１２‐１、１２‐２、…、１２‐ｎから、送信局が照会装置１１から無視されているかどうか、また場合によっては送信局のどれがそのようにされているかについての情報を受ける。検出装置はそのため内部にマスター機能を有する。これらの措置（送信局の無視）をトリガする事象およびこのような事象への反応の形式に関係して、他の情報も制御線ＯＶ１、ＯＶ２、…、ＯＶｎを介して伝送され得る。詳細には、必要の際には双方向の伝送が可能である。
【００３６】
副検出装置１２‐１、１２‐２、…、１２‐ｎはデータ伝送線ＤＷ２‐１、ＤＷ２‐２、…、ＤＷ２‐ｎを介してマルチプレクサ１３と接続されている。
【００３７】
これらのデータ伝送線ＤＷ２‐１、ＤＷ２‐２、…、ＤＷ２‐ｎを介して副検出装置１２‐１、１２‐２、…、１２‐ｎはそれらに供給されたデータパケットをマルチプレクサ１３に転送する。
【００３８】
マルチプレクサ１３はデータパケットを予め定められた順序でデータ伝送線ＤＯを経て交換局から送り出す。
【００３９】
前記の交換局は検出装置１２および照会装置１１の前記の共同作用に基づいて常に確実に、すなわち交換局で過負荷を生ずることなしに、作動することができる。
【００４０】
照会装置による１つまたはそれ以上の送信局の前記の無視または黙殺はそのつどの必要性に相応してさまざまな事象によりトリガされ得る。
【００４１】
１つの可能なトリガ事象（第１のトリガ事象）は、副検出装置１２‐１、１２‐２、…、１２‐ｎの任意の副検出装置がそれに（好ましくは個々に）割当てられた限界値が、対応付けられている送信局により単位時間あたりに受け入れられるデータ量および／または受け入れるべきデータ量により超過されたかまたはすぐに超過されるおそれがあるかどうかを検出することにある。
【００４２】
そのつどの副検出装置に対応付けられている送信局に対する限界値の決定はそのつどの個々の必要性に応じて行うことができる。
【００４３】
限界値は一般にそれぞれ、そのつどの送信局により単位時間あたりに平均的に伝送すべきデータ量と単位時間あたりに最大伝送可能なデータ量との間にあるように選ばれる。
【００４４】
限界値および交換局に接続されている送信局の数が、すべての送信局に対する限界値の和がほぼ交換局の最大処理量に相当するように、またはそれより下にあるように選ばれると好適である。しかし限界値の１つまたはそれ以上が当該の送信局において単位時間あたりに平均的に予期されるデータ量のはるか上にあるかぎり、すべての送信局に対する限界値の和は交換局の最大処理量を上回ることになる。
【００４５】
個々の送信局への限界値の割当は優先順位に従って行われてもよく、その際に重要性の高いデータを発する送信局には、重要性の低いデータを発する送信局に比較して相対的に単位時間あたりに最大伝送可能なデータ量の近くにある限界値が割当てられる。
【００４６】
先に説明した第１のトリガ事象に対して代替的または追加的に可能な別のトリガ事象は第１のトリガ事象と無関係にまたはそれと同時に、たとえば交換局により単位時間あたりに交換可能な全データ量に相応し得る限界値が超過されたかまたはすぐに超過されるおそれがあるかどうかを検出する。
【００４７】
送信局の無視をトリガする事象が可変であるのと同様に、このような事象の生起の際に無視すべき送信局の決定も可変である。
【００４８】
無視すべき送信局とは、最も簡単な場合には、それに対応付けられている副検出装置がトリガ事象の存在を検出した送信局である。
【００４９】
その代わりに、無視すべき送信局は決定された優先順位または可変の優先順位に相応しても決定することができる。その際に比較的重要性の低いデータを発する送信局が最初に無視される。
【００５０】
無視すべき送信局の数は、それぞれ使用される限界値のどの範囲が超過されたかまたはすぐに超過されるかに関係して決定されてもよい。
【００５１】
本発明による前記のような照会装置および検出装置の設置および共同作用により、簡単な仕方で、個々に構成可能であり経済的かつ安全に作動し得る通信システムを構成することが可能になる。
【図面の簡単な説明】
【図１】本発明による装置を含んでいるＡＴＭ交換システムの構成の概略図。
【図２】従来のＡＴＭ交換システムの構成の概略図。
【符号の説明】
１    交換局
２    送信および／または受信局
１１    照会装置
１２    検出装置
１２‐１、…、１２‐ｎ    副検出装置
１３    マルチプレクサ
ＤＩ    データ伝送線
ＤＷ１    データ伝送線
ＯＶ１、…、ＯＶｎ    制御線
【図１】
0003860270.tif 000002
【図２】
0003860270.tif 000003